【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
ポリマー組成物であって、イオノマーおよび極性ポリマーから成る群から選択される１または複数の添加ポリマー；ならびに
外部刺激に敏感な指示薬を含んで成るインテリジェント添加剤を含んで成り、前記外部刺激にさらされた場合、前記インテリジェント添加剤は、前記ポリマー組成物において色変化を引き起こす、ポリマー組成物。
【請求項２】
前記インテリジェント添加剤は、０．０１から３０重量％まで変化する量の範囲の重量パーセントで存在する、請求項１に記載のポリマー組成物。
【請求項３】
前記組成物は、金属塩をさらに含んで成る、請求項１または２に記載のポリマー組成物。
【請求項４】
前記金属塩は、０．０１から１５重量％までの変化する量の範囲の重量パーセントで存在する、請求項３に記載のポリマー組成物。
【請求項５】
前記１または複数の添加ポリマーは、５５から９９．９９重量％まで変化する量の範囲の重量パーセントで存在する１または複数の極性ポリマーを含んで成る、請求項１に記載のポリマー組成物。
【請求項６】
前記１または複数の添加ポリマーは、５５から９９．９９重量％まで変化する量の範囲の重量パーセントで存在する１または複数のイオノマーを含んで成る、請求項１に記載のポリマー組成物。
【請求項７】
ポリマー組成物であって、前記組成物は、
非極性マトリックス・ポリマー；
イオノマー、極性ポリマー、金属塩、またはそれらの組み合わせから成る群から選択される１または複数の添加剤；および
外部刺激に敏感な指示薬を含んで成るインテリジェント添加剤を含んで成り、前記外部刺激にさられた場合、前記インテリジェント添加剤は前記ポリマー組成物において色変化を引き起こす、ポリマー組成物。
【請求項８】
前記非極性マトリックス・ポリマーは、ポリオレフィンである、請求項７に記載のポリマー組成物。
【請求項９】
前記非極性マトリックス・ポリマーは、１５から９９．９８重量％まで変化する量の範囲の重量パーセントで存在する、請求項７または８に記載のポリマー組成物。
【請求項１０】
前記１または複数の添加剤が１から３０重量％までの範囲の重量パーセントで存在する１または複数の極性ポリマーを含んで成る、請求項７〜９の何れかに記載のポリマー組成物。
【請求項１１】
前記１または複数の添加剤が１から８５重量％の範囲の重量パーセントで存在する１または複数のイオノマーを含んで成る、請求項７〜１０の何れかに記載のポリマー組成物。
【請求項１２】
前記１または複数の添加剤が０．０１％から１５重量％まで変化する量の範囲の重量パーセントで存在する１または複数の金属塩を含んで成る、請求項７〜１１の何れか１つに記載のポリマー組成物。
【請求項１３】
前記インテリジェント添加剤が０．０１から３０重量％まで変化する量の範囲の重量パーセントで存在する、請求項７〜１２の何れかに記載のポリマー組成物。
【請求項１４】
前記外部刺激と接触して、前記組成物が約１７時間未満で少なくとも１２のΔＥに達する、請求項１〜１３の何れかに記載のポリマー組成物。
【請求項１５】
前記外部刺激への曝露の少なくとも１７時間後に、前記組成物は、少なくとも８以上のΔＥを示し、外部刺激への前記曝露が停止した後の少なくとも５日間、少なくとも８以上のΔＥを維持する、請求項１〜１３の何れかに記載のポリマー組成物。
【請求項１６】
前記外部刺激への曝露の少なくとも１７時間後に、前記組成物が少なくとも１２以上のΔＥを示し、外部刺激への前記曝露が停止した後の少なくとも５日間、少なくとも１２以上の前記ΔＥを維持する、請求項１〜１３の何れかに記載のポリマー組成物。
【請求項１７】
ポリマー組成物であって、前記組成物は、
少なくとも１つのポリマー；および
外部刺激に敏感な指示薬を含んで成るインテリジェント添加剤を含んで成り、前記外部刺激にさらされた場合、前記インテリジェント添加剤は前記ポリマー組成物において色変化を引き起こし、
前記外部刺激への曝露の少なくとも１７時間後に、前記ポリマー組成物は、少なくとも８以上のΔＥを示し、外部刺激への曝露を停止した後の少なくとも５日間、少なくとも８以上の前記ΔＥを維持する、ポリマー組成物。
【請求項１８】
イオノマー、極性ポリマー、金属塩、またはそれらの組み合わせから成る群から選択される１または複数の添加剤をさらに含んで成る、請求項１７に記載のポリマー組成物。
【請求項１９】
前記少なくとも１つのポリマーは、ポリオレフィン・マトリックス・ポリマーを含んで成る、請求項１７または１８に記載のポリマー組成物。
【請求項２０】
ポリマー組成物であって、前記組成物は、
少なくとも１つのマトリックス・ポリオレフィン；
１または複数の添加ポリマー；
少なくとも１つの金属塩；および
外部刺激に敏感な指示薬を含んで成るインテリジェント添加剤を含んで成り、前記外部刺激にさらされた場合、前記インテリジェント添加剤は、前記ポリマー組成物において色変化を引き起こし、
前記外部刺激への曝露の少なくとも１７時間後に、前記ポリマー組成物は、少なくとも８以上のΔＥを示し、外部刺激への曝露を停止した後の少なくとも５日間、少なくとも８以上の前記ΔＥを維持する、ポリマー組成物。
【請求項２１】
前記外部刺激は、ｐＨ変化、湿度変化、温度変化、時間の経過、有機揮発性濃度の変化、または酸素濃度における変化から成る群から選択される、請求項１〜２０の何れかに記載のポリマー組成物。
【請求項２２】
前記インテリジェント添加剤は、カプセル化されている、請求項１〜２１の何れかに記載の組成物。
【請求項２３】
前記指示薬は、ケイ質アルコキシドおよびチタンアルコキシドから成る群から選択される１または複数の反応から製造されたカプセル材によりカプセル化されている、請求項２２に記載の組成物。
【請求項２４】
前記指示薬は、シリカ・マトリックス内にカプセル化されている、請求項２２に記載の組成物。
【請求項２５】
外部刺激に敏感な前記指示薬は、メチル・バイオレット、クリスタル・バイオレット、エチル・バイオレット、マラカイト・グリーン、２−（（ｐ−（ジメチルアミノ）フェニル）アゾ）ピリジン、キナルジン・レッド、パラ−メチル・レッド、リトマス、メタニル・イエロー、４−フェニルアゾジフェニルアミン、チモール・ブルー、ｍ−クレゾール・パープル、トロペオリン００、４−ｏ−トリルアゾ−ｏ−トルイジン、エリスロシンナトリウム塩、ベンゾプルプリン４ｂ、ｎ，ｎ−ジメチル−ｐ−（ｍ−トリルアゾ）アニリン、２，４−ジニトロフェノール、メチル・イエロー（ｎ，ｎ−ジメチル−ｐ−フェニルアゾアニリン）、４，４’−ビス（２−アミノ−１−ナフチルアゾ）２，２’−スチルベンジスルホン酸、テトラブロモフェノールフタレインエチルエステルのカリウム塩、ブロモフェノール・ブルー、コンゴー・レッド、メチル・オレンジ、メチル・オレンジ・キシレン・シアノール溶液、エチル・オレンジ、２−（（ｐ−（ジメチルアミノ）フェニル）アゾ）ピリジン、４−（ｐ−エトキシフェニルアゾ）−ｍ−フェニレンジアミン、一塩酸塩、メチル・レッド、ラクモイド、ブロモクレゾール・パープル、ブロモチモール・ブルー、フェノール・レッド、メタクレゾール・パープル、チモール・ブルー、フェノールフタレイン、チモールフタレイン、アリザリン・イエローｒ、インジゴカルミン、２，５−ジニトロフェノール、ブロモクレゾール・グリーン、クロロフェノール・レッド、ブロモフェノール・レッド、ニュートラル・レッド、ロゾリン酸、クレゾール・レッド、ｏ−クレゾールフタレイン、トロペオリンｏ、４−ニトロフェノール、アントシアニン、フェロイン、ｎ−フェニルアントラニル酸、レザズリン、ファスト・グリーン、イエロー・トワイライト、ブライト・ブルー、ボルドー、タータジン、レッド４０、エリスロシン、アントシアニン、クルクミン、コチニール・カーマイン、サフラン、アゾルビン、カプサンシン、カーマイン・ハイドロ、インジゴチン、ピナクローム、ポンソー４Ｒ、レゾルシンマレイン、ロドール・グリーン、リボフラビン、ビート・レッド、ヘプタメトキシ・レッド、ヘキサメトキシ・レッド、プロピル・レッド、ベータ・カロテン、ベンゾピリジン、コレステリルオレイルカーボネート、コレステリルノナノエート、およびコレステリルベンゾエートの混合物、スピロノラクトン、フルオラン、スピロピラン、ジアルキリデンコハク酸のフルギドフォトクロミック環状酸無水物、ビスフェノールＡ、パラベン、１，２，３−トリアゾール誘導体、４−ヒドロキシクマリン、フェロイン、メチレン・ブルー、Ｎ−フェナントラニル酸、レザズリン、鉄（ＩＩ）錯体５−ニトロ−１，１０−フェナントロリン、２，３−ジフェニルアミンジカルボン酸、鉄（ＩＩ）錯体１，１０−フェナントロリン、鉄（ＩＩ）錯体５−メチル１，１０−フェナントロリン、エリオグラカインＡ、スルホン酸ジフェニルアミン、ジフェニルアミン、ｐ−エトキシクリソイジン、インジゴテトラスルホネート、フェニサフラニン、２，２’−ビピリジン（Ｒｕ錯体）、ニトロフェナントラリン（Ｆｅ錯体）、Ｎ−フェニルアントラニル酸、Ｎ−エトキシクリソイジン、２，２’−ビピリジン（Ｆｅ錯体）、５，６−ジメチルフェナントロリン（Ｆｅ錯体）、オルト−ジアニシジン、ナトリウムジフェニルアミンスルホネート、レア・アース、コバルト塩ならびに硫酸塩から成る群から選択される１または複数である、請求項１〜２４の何れかに記載の組成物。
【請求項２６】
前記インテリジェント添加剤は、カプセル化されたｐＨ指示薬である、請求項１〜２５の何れかに記載の組成物。
【請求項２７】
前記インテリジェント添加剤は、１または複数のｐＨ指示薬の混合物を含んで成る、請求項１〜２６の何れかに記載の組成物。
【請求項２８】
前記１または複数の極性ポリマーは、ヒドロキシル、カルボキシルおよびそれらの塩、エステル、エーテル、アセテート、アミド、アミン、エポキシ、イミド、ハロゲン化物またはそれらの組み合わせから成る群から選択される少なくとも１つの官能基を含んで成る、請求項５または１０に記載の組成物。
【請求項２９】
前記１または複数の極性ポリマーは、ポリ塩化ビニル（PVC）、エチレンビニルアセテートコポリマー（EVA）、ポリエチレンテレフタレート（PET）、無水マレイン酸でグラフト化したポリエチレンまたはその誘導体（PE-g-MA）、イタコン酸でグラフト化されたポリエチレンまたはその誘導体（PE-g-It）、無水マレイン酸でグラフト化されたポリプロピレンまたはその誘導体（PP-g-MA）、イタコン酸でグラフト化されたポリプロピレンまたはその誘導体（PP-g-It）から成る群から選択される、請求項５、１０または２８の何れかに記載の組成物。
【請求項３０】
前記金属塩が有機酸塩である、請求項３、７、１８または２０に記載の組成物。
【請求項３１】
請求項１〜３０の何れかに記載の前記組成物から製造された製品。
【手続補正２】
【補正対象書類名】明細書
【補正対象項目名】００３５
【補正方法】変更
【補正の内容】
【００３５】
１または複数の実施形態では、指示薬は、メチル・バイオレット、クリスタル・バイオレット、エチル・バイオレット、マラカイト（malachite）・グリーン、２−（（ｐ−（ジメチルアミノ）フェニル）アゾ）ピリジン、キナルジン（quinaldine）・レッド、パラ−メチル・レッド、リトマス（litmus）、メタニル（metanil）・イエロー、４−フェニルアゾジフェニルアミン、チモール・ブルー、ｍ−クレゾール・パープル、トロペオリン（tropaeolin）００、４−ｏ−トリルアゾ−ｏ−トルイジン、エリスロシン（erythrosine）ナトリウム塩、ベンゾプルプリン（benzopurpurin）４ｂ、ｎ，ｎ−ジメチルｐ−（ｍ−トリルアゾ）アニリン、２，４−ジニトロフェノール、メチル・イエロー（ｎ，ｎ−ジメチルｐ−フェニルアゾアニリン）、４，４’−ビス（２−アミノ−１−ナフチルアゾ）２，２’−スチルベンジスルホン酸（stilbenedisulfonic acid）、テトラブロモフェノールフタレイン（tetrabromophenolphthalein）エチルエステルのカリウム塩、ブロモフェノール・ブルー、コンゴー・レッド（congo red）、メチル・オレンジ、メチル・オレンジ・キシレン・シアノール溶液、エチル・オレンジ、２−（（ｐ−（ジメチルアミノ）フェニル）アゾ）ピリジン、４−（ｐ−エトキシフェニルアゾ）−ｍ−フェニレンジアミン、一塩酸塩（または塩酸塩；monohydrochloride）、メチル・レッド、ラクモイド（lacmoid）、ブロモクレゾール・パープル、ブロモチモール・ブルー、フェノール・レッド、メタクレゾール・パープル、チモール・ブルー、フェノールフタレイン、チモールフタレイン、アリザリン（alizarin）・イエローｒ、インジゴカルミン（carmine of indigo）、２，５−ジニトロフェノール、ブロモクレゾール・グリーン、クロロフェノール・レッド、ブロモフェノール・レッド、ニュートラル（neutral）・レッド、ロゾリン酸（rosolic acid）、クレゾール・レッド、ｏ−クレゾールフタレイン、トロペオリン（tropaeolin）ｏ、４−ニトロフェノール、アントシアニン（anthocyanins）、フェロイン、ｎ−フェニルアントラニル酸、レザズリン（resazurin）、ファスト・グリーン、イエロー・トワイライト、ブライト・ブルー（bright blue）、ボルドー（bordeaux）、タータジン（tartasin）、レッド４０、エリスロシン（erythrosine）、アントシアニン（anthocyanin）、クルクミン、コチニール・カーマイン、サフラン（saffron）、アゾルビン（azorubine）、カプサンチン（capsanthin）、カーマイン・ハイドロ、インジゴチン、ピナクローム（pinachrome)、ポンソー(ponseau）４Ｒ、レゾルシンマレイン（Resorcinmalein）、ロドル（rodol）・グリーン、リボフラビン、ビート・レッド（beet red）、ヘプタメトキシ・レッド、ヘキサメトキシ・レッド、プロピル・レッド、ベータ・カロテン、ベンゾピリジン、コレステリルオレイルカーボネート、コレステリルノナノエート、およびコレステリルベンゾエートの混合物、スピノラクトン、フルオラン、スピロピラン、ジアルキリデンコハク酸のフルギドフォトクロミック環状酸無水物、ビスフェノールＡ、パラベン（paraben）、１，２，３−トリアゾール誘導体（derivate）、４−ヒドロキシクマリン、フェロイン、メチレン・ブルー、Ｎ−フェノントラニル酸、レサズリン、鉄（ＩＩ）錯体５−ニトロ−１，１０−フェナントロリン、２，３−ジフェニルア��ンジカルボン酸、鉄（ＩＩ）錯体１，１０−フェナントロリン、鉄（ＩＩ）錯体５−メチル１，１０−フェナントロリン、エリオグラカイン（elioglacaine）Ａ、スルホン酸ジフェニルアミン、ジフェニルアミン、ｐ−エトキシクリソイジン、インジゴテトラスルホネート、フェノサフラニン（phenosafranin）、２，２’−ビピリジン（Ｒｕ錯体）、ニトロフェナントラリン（nitrophenantraline）（Ｆｅ錯体）、Ｎ−フェニルアントラニル酸、Ｎ−エトキシクリソイジン、２，２’−ビピリジン（Ｆｅ錯体）、５，６−ジメチルフェナントロリン（Ｆｅ錯体）、オルト−ジアニシジン、ナトリウムジフェニルアミンスルホネート、レア・アース、コバルト塩、硫酸塩、ならびにそれらの組み合わせから選択される１または複数であってもよい。